(57)【要約】【課題】制御ユニットが停止する危険性を極力低減することができる制御盤装置を提供することを目的とする。【解決手段】前面板３が開閉可能な略箱体状の盤筐体２の内部空間Ｓに、盤筐体２の外部に設けられた信号入出力装置を制御する制御ユニット４と、制御ユニット４と信号入出力装置とを中継する複数の端子ユニット５と、複数の端子ユニット５に電源を供給する複数の電源ユニット６と、を備え、制御ユニット４には、複数の電源ユニット６から電源が供給されることを特徴とする。【選択図】図１
2008301662.tif 000002
【特許請求の範囲】
【請求項１】
前面板が開閉可能な略箱体状の盤筐体の内部空間に、
盤筐体の外部に設けられた信号入出力装置を制御する制御ユニットと、
制御ユニットと信号入出力装置とを中継する複数の端子ユニットと、
複数の端子ユニットに電源を供給する複数の電源ユニットと、
を備え、
制御ユニットには、複数の電源ユニットから電源が供給されることを特徴とする制御盤装置。
【請求項２】
端子ユニットは、ベースと、ベース上に取り付けまたは取り外しされ信号線を接続するための信号線接続端子が設けられたカートリッジと、を有し、
ベースには、ベース上に取り付けられたカートリッジへの電源の供給をＯＮまたはＯＦＦにする電源入り切りスイッチが設けられていることを特徴とする請求項１に記載の制御盤装置。
【請求項３】
端子ユニットと電源ユニットとが前面板を開けたときにそれぞれが前方に現出するように並設されていることを特徴とする請求項１または２に記載の制御盤装置。
【発明の詳細な説明】
【技術分野】
【０００１】
本発明は、回路ブロックおよび配線を収容してＢＡ（ビルディング・オートメーション）やＨＡ（ホーム・オートメーション）向けに用いられる制御盤装置に関する。
【背景技術】
【０００２】
例えば、特許文献１には、略箱体状の盤筐体（ボックス）の前面板（前面扉）が蝶番で開閉可能に留められてあり、盤筐体（ボックス）の内部空間に、操作ユニット等の回路ブロックおよび配線を収納した情報監視盤が記載されている。
【０００３】
特許文献１においては、セキュリティ用ワイヤレス受信機等の前面操作型の情報監視盤が記載されているが、このような情報監視盤の技術は、照明制御盤、空調制御盤、大型分電盤や各種の制御盤装置に適用することができる。
【０００４】
制御盤装置は、略箱体状の盤筐体の内部空間に、制御ユニットおよび電源ユニットが配置される。ここで、制御ユニットに電源を供給する電源ユニットは１つである。
【特許文献１】特許第３５３３６７２号公報
【発明の開示】
【発明が解決しようとする課題】
【０００５】
しかし、電源ユニットが１つだけであると、当該電源ユニットに、動作不良、経年劣化による部品破損などの電源供給機能の低下事象または停止事象が発生した場合に、制御ユニットが停止して、制御盤装置のシステムがまったく機能しなくなるおそれがある。
【０００６】
本発明は、上記問題点に鑑みてなしたものであり、制御ユニットが停止する危険性を極力低減することができる制御盤装置を提供することを目的とする。
【課題を解決するための手段】
【０００７】
上記課題を解決するために、請求項１に記載の制御盤装置は、前面板が開閉可能な略箱体状の盤筐体の内部空間に、盤筐体の外部に設けられた信号入出力装置を制御する制御ユニットと、制御ユニットと信号入出力装置とを中継する複数の端子ユニットと、複数の端子ユニットに電源を供給する複数の電源ユニットと、を備え、制御ユニットには、複数の電源ユニットから電源が供給されることを特徴とする。
【０００８】
請求項２に記載の発明は、上記請求項１に記載の制御盤装置において、端子ユニットは、ベースと、ベース上に取り付けまたは取り外しされ信号線を接続するための信号線接続端子が設けられたカートリッジと、を有し、ベースには、ベース上に取り付けられたカートリッジへの電源の供給をＯＮまたはＯＦＦにする電源入り切りスイッチが設けられていることを特徴とする。
【０００９】
請求項３に記載の発明は、上記請求項１または２に記載の制御盤装置において、端子ユニットと電源ユニットとが前面板を開けたときにそれぞれが前方に現出するように並設されていることを特徴とする。
【発明の効果】
【００１０】
請求項１に記載の発明によれば、複数の電源ユニットのいずれか１つだけでも電源を生成し、制御ユニットへ供給できれば、制御ユニットが駆動できるように構成されているので、複数の電源ユニットの製造ばらつきによる動作不良、経年劣化による部品破損などの電源供給機能の低下事象または停止事象が発生したとしても、制御ユニットが停止する危険性を極力低減することができる。
【００１１】
請求項２に記載の発明によれば、特定のカートリッジのみを交換する際に、他のカートリッジへの電源の供給をも止める必要がなくなる。
【００１２】
請求項３に記載の発明によれば、端子ユニットと電源ユニットとを盤筐体の内部空間に向かって奥行き方向に並設する場合に比べて、端子ユニットおよび電源ユニットの交換が容易となる。
【発明を実施するための最良の形態】
【００１３】
以下、図面を参照しながら本発明に係る制御盤装置の実施の形態について説明する。以下の説明では具体例を挙げて本発明を説明する場合があるが、本発明は以下の具体例に限定されない。
【００１４】
制御盤装置は、回路ブロックおよび配線を収納してＢＡ（ビルディング・オートメーション）やＨＡ（ホーム・オートメーション）向けに用いられる盤であるが、これに限らず、照明制御盤や空調制御盤や大型分電盤や各種の通信制御盤であってもよい。以下では、制御盤装置として、非接触ＩＣカードリーダ、電気錠ユニットである信号入出力装置などと接続して入退室管理に使用される電気錠制御盤を例示する。
【００１５】
図１に示す如く、制御盤装置１は、一面が開口して中空の内部空間Ｓを有する略箱体状の盤筐体２と、盤筐体２の一面を塞ぐ前面板３と、を備え、内部空間Ｓには、盤筐体２の外部に設けられた信号入出力装置（非接触ＩＣカードリーダ１３、電気錠ユニット１４、図２参照）を制御するための制御ボード１５（例えば、ＣＰＵ、図２参照）を備える制御ユニット４と、制御ボード１５と信号入出力装置とを中継する３つの端子ユニット５（５ａ、５ｂ、５ｃ）と、それぞれ独立して端子ユニット５（５ａ、５ｂ、５ｃ）および制御ユニット４に電源を供給する３つの電源ユニット６（６ａ、６ｂ、６ｃ）と、端子ユニット５（５ａ、５ｂ、５ｃ）と信号入出力装置との信号の入出力を行う信号伝達配線となる信号線７と、信号線７を内包し信号線７を端子ユニット５（５ａ、５ｂ、５ｃ）に向けて引き出すための信号線引き出し部８を有する信号線用配線路９と、が設けられている。
【００１６】
３つの電源ユニット６（６ａ、６ｂ、６ｃ）は、盤筐体２の内部空間Ｓに向かって右側に、盤筐体２の天面と底面とを結ぶ方向である上下方向に沿って配置されている。また、３つの電源ユニット６（６ａ、６ｂ、６ｃ）は、盤筐体２の天面に設けられた電力線挿通孔１０および制御ユニット４の電線孔１１を通って盤筐体２の内部に引き込まれた電力線１２と、制御ユニット４を経由して、それぞれ接続されている。そして、３つの電源ユニット６（６ａ、６ｂ、６ｃ）は、それぞれ独立に、直流電源を生成し、電源ユニット６ａは端子ユニット５ａへ直流電源を供給し、電源ユニット６ｂは端子ユニット５ｂへ直流電源を供給し、電源ユニット６ｃは端子ユニット５ｃへ直流電源を供給している。つまり、電源ユニット６ａは端子ユニット５ａ用の直流電源供給回路であり、電源ユニット６ｂは端子ユニット５ｂ用の直流電源供給回路であり、電源ユニット６ｃは端子ユニット５ｃ用の直流電源供給回路である。
【００１７】
さらに、図２に示す如く、３つの電源ユニット６（６ａ、６ｂ、６ｃ）は、それぞれ独立に、例えば、２４ボルトの値に生成した直流電源を、いずれも制御ユニット４へ供給する。そのため、３つの電源ユニット６（６ａ、６ｂ、６ｃ）のいずれか１つだけでも直流電源を生成し、制御ユニット４へ供給できれば、制御ボード１５が駆動できるように構成されている。これにより、３つの電源ユニット６（６ａ、６ｂ、６ｃ）の製造ばらつきによる動作不良、経年劣化による部品破損などの直流電源供給機能の低下事象または停止事象が発生したとしても、制御ボード１５が停止する危険性を極力低減することができる。さらに、３つの端子ユニット５ａ、５ｂ、５ｃそれぞれの駆動電源を３つの電源ユニット６ａ、６ｂ、６ｃという専用の駆動電源としているので、３つの端子ユニット５ａ、５ｂ、５ｃのいずれか（例えば、５ｂ）の故障時や交換時にも、残る他の２つの端子ユニット（例えば、５ａ、５ｃ）は動作を続けることができる。
【００１８】
なお、制御ユニット４は、絶縁型一定電圧生成回路１６を備え、３つの電源ユニット６（６ａ、６ｂ、６ｃ）からそれぞれ制御ユニット４へ供給される２４ボルトの直流電源は、制御ボード１５内の弱電系回路に供給される前に、絶縁型一定電圧生成回路１６で２４ボルト値から５ボルト値などに降圧されてから供給される。
【００１９】
３つの端子ユニット５（５ａ、５ｂ、５ｃ）は、図１に示す如く、盤筐体２の内部空間Ｓに向かって３つの電源ユニット６（６ａ、６ｂ、６ｃ）の左側に、盤筐体２の上下方向に沿ってそれぞれ並設されている。すなわち、３つの端子ユニット５（５ａ、５ｂ、５ｃ）と３つの電源ユニット６（６ａ、６ｂ、６ｃ）とは、盤筐体２の前面板３を開けたときに、それぞれが前方に現出する。このような構成を採用することにより、端子ユニット５（５ａ、５ｂ、５ｃ）と電源ユニット６（６ａ、６ｂ、６ｃ）とを盤筐体２の内部空間Ｓに向かって奥行き方向に並設する場合に比べて、端子ユニット５（５ａ、５ｂ、５ｃ）および電源ユニット６（６ａ、６ｂ、６ｃ）の交換が容易となる。ここで、３つの端子ユニット５（５ａ、５ｂ、５ｃ）は、スロットコネクタ１８（図５参照）を経由して制御ボード１５と予め配線接続されており、互いに通信可能となるように構成されている。３つの端子ユニット５（５ａ、５ｂ、５ｃ）と制御ボード１５とは、図２に示す如く、それぞれ直列に接続しているが、図３に示す如く、並列に接続してもよい。並列に接続することにより、いずれかの通信（例えば、端子ユニット５ｂと制御ボード１５との通信）に不具合が発生しても、残りの通信（例えば、端子ユニット５ａと制御ボード１５との通信、端子ユニット５ｃと制御ボード１５との通信）は正常に行われる。そして、端子ユニット５（５ａ、５ｂ、５ｃ）は、非接触ＩＣカードリーダ１３から制御ボード１５への信号および制御ボード１５から電気錠ユニット１４への信号を中継する。ここで、制御ボード１５は、非接触ＩＣカードリーダ１３からの信号に基づいて、個人認証を行い、その認証結果により、電気錠を開錠するか、施錠したままにするかを制御する。なお、本実施形態では、信号入出力装置として、非接触ＩＣカードリーダ１３および電気錠ユニット１４を例示しているが、これに限らず、非接触ＩＣカードリーダ１３の代わりに、例えば、熱を検知する人体監視センサ、火災センサ、窓やドアの振動を検知する防犯センサ、電気錠ユニット１４の代わりに、例えば、警報器を用いてもよい。そして、非接触ＩＣカードリーダ１３および電気錠ユニット１４が設けられている部屋に、例えば、熱を検知する人体監視センサ、火災センサ、窓やドアの振動を検知する防犯センサおよび警報器を設け、制御ボード１５が人体監視センサ、火災センサ、防犯センサからの信号を受け、部屋に異常が発生していることを検知すると、警報器を作動させるように構成することもできる。これにより、部屋の管理をより確実なものとすることができる。
【００２０】
また、３つの端子ユニット５（５ａ、５ｂ、５ｃ）は、図４に示す如く、盤筐体２の外部に設けられた信号入出力装置との信号入出力を行う横長のカートリッジ１７（１７ａ〜１７ｇ）を、盤筐体２の内部空間Ｓの上下方向に並設されて基台となるベース１９に対して、上下方向に取り付けまたは取り外しされるように備えるものであって、カートリッジ１７（１７ａ〜１７ｇ）それぞれの全面には、信号線７を接続するための信号線接続端子２０が設けられている。
【００２１】
さらに、カートリッジ１７（１７ａ〜１７ｇ）それぞれには、盤筐体２の前面板３側において、信号線接続端子２０の下方に位置するよう、カートリッジ１７（１７ａ〜１７ｇ）と接続する信号線７を支え受ける信号線支持板２１が突設されている。この構成を採用することにより、信号線７が重力により下方に引っぱられて余計に垂れ下がることがないので、配線の外観を良くすることができるとともに、信号線７の接続を確実なものとすることができる。なお、配線の外観を良くするために、信号線７を信号線引き出し部８からカートリッジ１７（１７ａ〜１７ｇ）の信号線接続端子２０にまで至るギリギリの長さしか引き出さないようにする配線も考えられるが、当該配線は好ましくない。というのも、この場合、信号線７が引っぱられた状態となるので、当該状態が長期に亘ると、信号線７の接続が不確実なものとなって、信号伝送にノイズが発生しやすく信号波形を正しく伝えられなくなってしまったり、さらにはいつしかカートリッジ１７（１７ａ〜１７ｇ）の信号線接続端子２０から信号線７が外れて、通信がまったくできない状態に陥ってしまったりするおそれがあるからである。
【００２２】
ここで、図５に示す如く、カートリッジ１７（１７ａ〜１７ｇ）それぞれには、基台となるベース１９に対する着脱の際に、着脱を行いやすいように、横長方向の一端に、爪部２２が形成され、ベース１９の信号線用配線路９側には、爪部２２と係合することにより、カートリッジ１７（１７ａ〜１７ｇ）の装着位置決めを行う爪引っ掛け部２３が形成されている。なお、図５では、カートリッジ１７（１７ａ〜１７ｇ）のうちカートリッジ１７ｄのみを示している。そして、カートリッジ１７（１７ａ〜１７ｇ）は、爪部２２とは反対側の部分においては、例えば、ネジ２４でベース１９に固定される。この構成を採用することにより、カートリッジ１７（１７ａ〜１７ｇ）の交換を容易に行うことができる。ここで、爪部２２と爪引っ掛け部２３との係合構造を信号線用配線路９側に採用しているのは、爪部２２と爪引っ掛け部２３との係合を行う際には配線はさほど邪魔にはならないが、カートリッジ１７（１７ａ〜１７ｇ）を、例えば、ネジ２４で、ベース１９に固定する際には配線が邪魔になるからである。なお、爪部２２と爪引っ掛け部２３との係合可能角度の上下限を広くとるよう形状設計しておけば、ベース１９の横方向からさほどはみ出さない程度の横幅空間内で、カートリッジ１７（１７ａ〜１７ｇ）の交換が済むので、カートリッジ１７（１７ａ〜１７ｇ）の交換のためにベース１９の両横の空き寸法を長くとらずに済み、制御盤装置１の横寸法が長くなってしまう要因の１つを解消できることとなる。
【００２３】
また、ベース１９には、カートリッジ１７（１７ａ〜１７ｇ）それぞれへの電源の供給をＯＮまたはＯＦＦにする電源入り切りスイッチ２５が設けられている。これにより、特定のカートリッジ（例えば、１７ｄ）のみを交換する際に、他のカートリッジ（例えば、１７ａ〜１７ｃ、１７ｅ〜１７ｇ）への電源の供給をも止める必要がなくなる。
【００２４】
信号線用配線路９は、図１に示す如く、カートリッジ１７（１７ａ〜１７ｇ）それぞれと接続される信号線７を、盤筐体２の内部空間Ｓに向かって左側に集中配置するための枠体であって、前面板３側が開口したコ字型材で形成されており、盤筐体２の内部空間Ｓに向かって３つの端子ユニット５（５ａ、５ｂ、５ｃ）の左側に、盤筐体２の上下方向に沿って設けられている。このため、信号線用配線路９に信号線７を収納することができるとともに、配線作業を容易に行うことができる。そして、信号線用配線路９は、その端子ユニット５（５ａ、５ｂ、５ｃ）側の側面であってカートリッジ１７（１７ａ〜１７ｇ）に対応した位置に、内包する信号線７を引き出す信号線引き出し部８が設けられている。具体的には、信号線引き出し部８がカートリッジ１７（１７ａ〜１７ｇ）の左横にあるようにすると好ましい。また、信号線引き出し部８を、信号線用配線路９の端子ユニット５（５ａ、５ｂ、５ｃ）側の側面において、上下方向に、カートリッジ１７（１７ａ〜１７ｇ）と同じ間隔で設けてもよい。本実施形態では、信号線用配線路９に柵状に形成された孔を信号線引き出し部８としている。なお、図示例では、信号線用配線路９のカートリッジ１７（１７ａ〜１７ｇ）には対応していない位置および端子ユニット５（５ａ、５ｂ、５ｃ）とは反対側の側面にも孔が設けられているが、当該孔は必ずしも必要ではない。また、信号線用配線路９は、信号線引き出し部８を備えていればよく、他の構成（例えば、端子ユニット５（５ａ、５ｂ、５ｃ）とは反対側の板や下板）は必ずしも必要ではない。
【００２５】
そして、信号線用配線路９に内包されている信号線７は、必要に応じて、信号線引き出し部８から引き出されて、カートリッジ１７（１７ａ〜１７ｇ）の信号線接続端子２０に接続される。
【００２６】
そのため、信号線用配線路９に内包されている信号線７が必要に応じて信号線引き出し部８から制御盤装置１の盤筐体２の横方向に引き出され、カートリッジ１７（１７ａ〜１７ｇ）の信号線接続端子２０にそのまま接続されることになるので、端子ユニット５（５ａ、５ｂ、５ｃ）を上下につめて配置することができ、制御盤装置１の横寸法を長くせずに済むのみならず、縦寸法をも短く設計することができるとともに、端子ユニット５（５ａ、５ｂ、５ｃ）に接続する信号線７の複雑な配線を解消し、配線作業を容易に行うことができる。
【００２７】
また、信号線用配線路９は、信号線７を内包した状態で、前面を塞ぐ蓋板（図示せず）を取り付けることにより、所謂配管部材として信号線７の余計な外観露出を防ぐ。
【００２８】
なお、信号線用配線路９を盤筐体２の内部空間Ｓに向かって左側に配置することにより、信号線を左から右へ引っ張り出す配線ができるので、特に日本人などの右利きの人が多い国では好ましい形態となる。
【００２９】
したがって、複数の電源ユニット６（６ａ、６ｂ、６ｃ）のいずれか１つだけでも電源を生成し、制御ユニット４へ供給できれば、制御ユニット４が駆動できるように構成されているので、複数の電源ユニット６（６ａ、６ｂ、６ｃ）の製造ばらつきによる動作不良、経年劣化による部品破損などの電源供給機能の低下事象または停止事象が発生したとしても、制御ユニット４が停止する危険性を極力低減することができる。
【００３０】
また、特定のカートリッジ（例えば、１７ｄ）のみを交換する際に、他のカートリッジ（例えば、１７ａ〜１７ｃ、１７ｅ〜１７ｇ）への電源の供給をも止める必要がなくなる。
【００３１】
さらに、端子ユニット５（５ａ、５ｂ、５ｃ）と電源ユニット６（６ａ、６ｂ、６ｃ）とを盤筐体２の内部空間Ｓに向かって奥行き方向に並設する場合に比べて、端子ユニット５（５ａ、５ｂ、５ｃ）および電源ユニット６（６ａ、６ｂ、６ｃ）の交換が容易となる。
【図面の簡単な説明】
【００３２】
【図１】実施形態に係る制御盤装置の概略斜視図である。
【図２】同実施形態に係る制御盤装置の内部構成を示すブロック図である。
【図３】同実施形態に係る制御盤装置の内部構成の別例を示すブロック図である。
【図４】同実施形態に係る制御盤装置の端子ユニットの概略斜視図である。
【図５】同実施形態に係る制御盤装置の端子ユニットにおけるカートリッジの爪部とベースの爪引っ掛け部との係合を示す概略斜視図である。
【符号の説明】
【００３３】
１    制御盤装置
２    盤筐体
３    前面板
４    制御ユニット
５    端子ユニット
６    電源ユニット
７    信号線
８    信号線引き出し部
９    信号線用配線路
１０  電力線挿通孔
１１  電線孔
１２  電力線
１３  非接触ＩＣカードリーダ
１４  電気錠ユニット
１５  制御ボード
１６  絶縁型一定電圧生成回路
１７  カートリッジ
１８  スロットコネクタ
１９  ベース
２０  信号線接続端子
２１  信号線支持板
２２  爪部
２３  爪引っ掛け部
２４  ネジ
２５  電源入り切りスイッチ
【図１】
2008301662.tif 000003
【図２】
2008301662.tif 000004
【図３】
2008301662.tif 000005
【図４】
2008301662.tif 000006
【図５】
2008301662.tif 000007